(57)【要約】【課題】気象情報提供システムにおいて、視覚的に高気圧、低気圧、前線等の位置を知ることができる気象情報分布地図画像を提供することを目的とする。【解決手段】気象観測点の所在地を含む地図データを蓄積する蓄積し、気象庁のアメダス等の気象観測データを受信し、受信したデータの最大値、最大から２番目の値、最小値、最小から２番目の値を検出し、受信した各データの値と、検出した最大値、最大から２番目の値、最小値、最小から２番目の値との関係から当該データの色分けを決定し、その色を使用して記憶している地図上に当該データの値を書き込むことにより気象情報分布地図画像を作成し、作成した気象情報分布地図画像を利用者が閲覧できるようにネットワーク上に配置することを特徴とする気象情報提供システム。【選択図】図１
2006162582.tif 000002
【特許請求の範囲】
【請求項１】
コンピュータネットワーク上で気象に関する情報を提供する気象情報提供システムにおいて、気象観測点の所在地を含む地図データを蓄積する蓄積手段を有し、気象庁のアメダス等の気象観測データを受信する受信手段を有し、受信したデータの最大値、最小値を検出する検出手段を有し、受信した各データの値と、検出した最大値、最小値との関係から当該データの色分けを決定し、その色を使用して記憶している地図上に当該データの値を書き込むことにより気象情報分布地図画像を作成する画像作成手段を有し、作成した気象情報分布地図画像を利用者が閲覧できるようにネットワーク上に配置することを特徴とする気象情報提供システム。
【請求項２】
コンピュータネットワーク上で気象に関する情報を提供する気象情報提供システムにおいて、気象観測点の所在地を含む地図データを蓄積する蓄積手段を有し、気象庁のアメダス等の気象観測データを受信する受信手段を有し、受信したデータの最大値、最大から２番目の値、最小値、最小から２番目の値を検出する検出手段を有し、受信した各データの値と、検出した最大値、最大から２番目の値、最小値、最小から２番目の値との関係から当該データの色分けを決定し、その色を使用して記憶している地図上に当該データの値を書き込むことにより気象情報分布地図画像を作成する画像作成手段を有し、作成した気象情報分布地図画像を利用者が閲覧できるようにネットワーク上に配置することを特徴とする気象情報提供システム。
【請求項３】
コンピュータネットワーク上で気象に関する情報を提供する気象情報提供システムにおいて、気象観測点の所在地を含む地図データを蓄積する蓄積手段を有し、気象庁のアメダス等の気象観測データを受信する受信手段を有し、受信したデータの風向の値に対応する色相の色を選択し、その色を使用して記憶している地図上に当該データの値を書き込むことにより気象情報分布地図画像を作成する画像作成手段を有し、作成した気象情報分布地図画像を利用者が閲覧できるようにネットワーク上に配置することを特徴とする気象情報提供システム。
【発明の詳細な説明】
【技術分野】
【０００１】本発明は、コンピュータネットワーク上で、気象に関する情報を提供する気象情報提供システムに関する。
【背景技術】
【０００２】気象状況の分析のためには、各地で観測された気象データを地図上にプロットし、その値から等圧線、あるいは等温線等を書き入れることにより、気圧や気温の分布を明確にする方法が用いられている。この方法により、高気圧、低気圧、前線の位置等を知ることにより、今後の気象予報の手がかりとすることができる。【０００３】特に、気象庁のアメダス（地域気象観測システム）のデータを使用することにより、局所的な気象状況を分析することができる。
【発明の開示】
【発明が解決しようとする課題】
【０００４】本発明では、気象データをその数値に応じて色を使い分け、特に、気圧または気温の極値付近のデータを詳細に色分けすることにより、高気圧、低気圧、前線等の位置を視覚的に明示することを目的とする。
【課題を解決するための手段】
【０００５】本発明は、上記の目的を達成するため、気象情報提供システムの中に、第１に、気象観測点の所在地を含む地図データを蓄積する蓄積手段を設け、第２に、気象庁のアメダス等の気象観測データを受信する受信手段を設け、第３に、第２の受信手段により受信したデータの最大値、最小値を検出する検出手段を有し、第４に、第２の受信手段により受信した各データの値と、第３の検出手段により検出した最大値、最小値との関係から当該データの色分けを決定し、その色を使用して第１の地図上に当該データの値を書き込むことにより、気象情報分布地図画像を作成する画像作成手段を設け、第５に、第４の画像作成手段により作成した気象情報分布地図画像を利用者が閲覧できるようにネットワーク上に配置することを提案する。【０００６】また、本発明は、気象情報提供システムの中に、第１に、気象観測点の所在地を含む地図データを蓄積する蓄積手段を設け、第２に、気象庁のアメダス等の気象観測データを受信する受信手段を設け、第３に、第２の受信手段により受信したデータの最大値、最大から２番目の値、最小値、最小から２番目の値を検出する検出手段を有し、第４に、第２の受信手段により受信した各データの値と、第３の検出手段により検出した最大値、最大から２番目の値、最小値、最小から２番目の値との関係から当該データの色分けを決定し、その色を使用して第１の地図上に当該データの値を書き込むことにより、気象情報分布地図画像を作成する画像作成手段を設け、第５に、第４の画像作成手段により作成した気象情報分布地図画像を利用者が閲覧できるようにネットワーク上に配置することを提案する。【０００７】また、本発明は、気象情報提供システムの中に、第１に、気象観測点の所在地を含む地図データを蓄積する蓄積手段を設け、第２に、気象庁のアメダス等の気象観測データを受信する受信手段を設け、第３に、第２の受信手段により受信したデータの風向の値に対応する色相の色を選択し、その色を使用して第１の地図上に当該データの値を書き込むことにより、気象情報分布地図画像を作成する画像作成手段を設け、第４に、第３の画像作成手段により作成した気象情報分布地図画像を利用者が閲覧できるようにネットワーク上に配置することを提案する。
【発明の効果】
【０００８】本発明により、気象情報分布地図画像を見ることにより、視覚的に高気圧、低気圧、前線等の位置を知ることができる。
【発明を実施するための最良の形態】
【０００９】発明を実施するための最良の形態を、図１から図４を用いて、以下に説明する。図１は、本発明を実施するための最良の形態に係るシステム構成図を示す。同図において、１は気象情報を提供する気象情報サーバを示す。１１および１２は、気象情報サーバ１内で動作する通信制御部およびデータ処理部を示し、１３は、気象情報サーバ１内のハードディスクを示す。また、気象情報サーバ１は、インターネット２を介して、気象業務支援センター３に接続されている。４は一般の利用者が使用するパソコンを示し、インターネット２を介して気象情報サーバ１と接続されている。【００１０】気象情報サーバ１内のハードディスク１３内には、あらかじめ、全国または当該気象観測点の位置を含む地域の白地図画像ファイル１３ａを用意しておく。【００１１】次に、気象情報サーバ１内の通信制御部１１の気象業務支援センターからのデータ受信手段１１ａは、気象業務支援センター３が一定時間間隔で送信する気象観測データを、インターネット２を介して受信し、受信したデータをハードディスク１３内の気象データテーブル１３ｂに格納する。つづいて、データ処理部１２の最大値等算出手段１２ａは、図２のフローチャートに従って処理を行う。まず、ステップＳ１０１は、気象データテーブル１３ｂ内の全データについて、ループ内の処理を行うことを示す。【００１２】ループ内の処理では、ステップＳ１０２では、当該気象データがそれまでの最小値以下であれば、ステップＳ１０３の処理を行うことにより当該データを最小値とする。次に、ステップＳ１０４では、当該気象データがそれまでの最大値以上であれば、ステップＳ１０５の処理を行うことにより当該データを最大値とする。【００１３】つづいて、気象情報分布地図画像作成手段１２ｂは、図３のフローチャートに従って処理を行う。まず、ステップＳ２０１にて、気象データテーブル１３ｂ内の全データについて、ループ内の処理を行うことを示す。【００１４】ループ内の処理では、ステップＳ２０２、Ｓ２０４、Ｓ２０６では、当該気象データと最大値等算出手段１２ａによって算出された最小値とを比較し、その結果、Ｓ２０３、Ｓ２０５、Ｓ２０７のいずれかの処理にて、その値の１単位、すなわち、気象データが気圧であれば１ヘクトパスカル、気温であれば１度ごとに異なる色を割り当てる。事前に本処理に割り当てた色の数を超えた場合は、ステップＳ２０８、Ｓ２１０、Ｓ２１２で、当該気象データと最大値等算出手段１２ａによって算出された最大値とを比較し、その結果、Ｓ２０９、Ｓ２１１、Ｓ２１３のいずれかの処理にて、その値の１単位、すなわち気象データが気圧であれば１ヘクトパスカル、気温であれば１度ごとに異なる色を割り当てる。そして、ステップＳ２１４にて、このようにして決定した色を使用して、白地図１３ａ上に当該気象データをプロットする。なお、図３のフローチャートでは、具体的に色の名称として緑色と赤色を示してあるが、他の色でも同じ効果を得ることができる。【００１５】ループ内の処理終了後に、ステップＳ２１６にて、完成した地図を気象情報分布地図画像ファイル１３ｃに格納する。図４に気象情報分布地図画像の一例を示す。この例では、各地点の気圧を０．１ヘクトパスカル単位で表した数値の下３桁を表示している。例えば、中央近くの「３０６」は１０３０．６ヘクトパスカルを示し、本発明を適用することにより、この箇所が最も濃い色、その周辺の「３１０」「３１１」「３１３」が１０３１ヘクトパスカル台を示し、２番目に濃い色となり、低気圧の存在が視覚的に明示される。【００１６】次に、利用者が当該気象情報分布地図画像を閲覧するときには、利用者パソコン４において、ホームページ閲覧のためのブラウザ４１を起動することにより、通信制御部１１のｈｔｔｐｄ１１ｂが、気象情報分布地図画像ファイル１３ｃを利用者パソコン４に送信する。
【実施例１】
【００１７】データ処理部１２の最大値等算出手段１２ａの動作を、図５のフローチャートのようにすることができる。この場合、まず、ステップＳ３０１は、気象データテーブル１３ｂ内の全データについて、ループ内の処理を行うことを示す。【００１８】ループ内の処理では、ステップＳ３０２では、当該気象データがそれまでの最小値以下であれば、ステップＳ３０３の処理を行うことによりそれまでの最小値を第２最小値とし当該データを最小値とする。ステップＳ３０４では、当該データが第２最小値以下であれば、ステップＳ３０５の処理により当該データを第２最小値とする。次に、ステップＳ３０６では、当該気象データがそれまでの最大値以上であれば、ステップＳ３０７の処理を行うことによりそれまでの最大値を第２最大値とし当該データを最大値とする。ステップＳ３０８では、当該データが第２最大値以上であれば、ステップＳ３０９の処理により当該データを第２最大値とする。【００１９】ループ内の処理終了後に、ステップＳ３１１にて、最小値と第２最小値の差が１単位、すなわち、気象データが気圧であれば１ヘクトパスカル、気温であれば１度より大きい場合は、ステップＳ３１２にて第２最小値マイナス１単位を最小値とする。また、ステップＳ３１３にて、最大値と第２最大値の差が１単位、すなわち、気象データが気圧であれば１ヘクトパスカル、気温であれば１度より大きい場合は、ステップＳ３１４にて第２最大値プラス１単位を最大値とする。この処理を行ったのちに気象情報分布地図画像作成手段１２ｂを行うことにより、最小値または最大値が他の値とかけ離れていても、気象情報分布地図上では連続した色でプロットすることができる。
【実施例２】
【００２０】気象データ１３ｂの例として風向の値により色を選択する場合には、気象情報分布地図画像作成手段１２ｂの動作を、図６のフローチャートのようにすることができる。この場合、まず、ステップＳ４０１は、気象データテーブル１３ｂ内の全データについて、ループ内の処理を行うことを示す。【００２１】ループ内の処理では、ステップＳ４０２では、当該気象データが「北」であれば、ステップＳ４０３の処理を行い、あらかじめ定めておく基準色を当該データに対して割り当てる。ステップＳ４０４で、当該気象データが「北北東」であれば、ステップＳ４０５の処理を行い、基準色から２２．５度離れた色相の色を割り当てる。以下、ステップＳ４１０、Ｓ４１１まで同様な処理を行い、ステップＳ４１２にて、このようにして決定した色を使用して、白地図１３ａ上に当該気象データをプロットする。【００２２】ループ内の処理終了後に、ステップＳ４１４にて、完成した地図を気象情報分布地図画像ファイル１３ｃに格納する。
【図面の簡単な説明】
【００２３】
【図１】本発明を実施するための最良の形態に係るシステム構成図を示す。
【図２】最大値等算出手段の動作を説明するフローチャートを示す。
【図３】気象情報分布地図画像作成手段の動作を説明するフローチャートを示す。
【図４】気象情報分布地図画像の一例を示す。
【図５】実施例１における最大値等算出手段の動作を説明するフローチャートを示す。
【図６】実施例２における気象情報分布地図画像作成手段の動作を説明するフローチャートを示す。
【符号の説明】
【００２４】      １は気象情報サーバ
１１は通信制御部
１１ａは気象業務支援センターからのデータ受信手段
１１ｂはｈｔｔｐｄ
１２はデータ処理部
１２ａは最大値等算出手段
１２ｂは気象情報分布地図画像作成手段
１３はハードディスク
１３ａは白地図画像ファイル
１３ｂは気象データテーブル
１３ｃは気象情報分布地図画像ファイル
２はインターネット
３は気象業務支援センター
４は利用者パソコン
４１はブラウザ
【図１】
2006162582.tif 000003
【図２】
2006162582.tif 000004
【図３】
2006162582.tif 000005
【図４】
2006162582.tif 000006
【図５】
2006162582.tif 000007
【図６】
2006162582.tif 000008